(57)【特許請求の範囲】
【請求項１】
垂直回動経路に沿って回動する無端状チエンに駐輪台が適当間隔おきに吊り下げられた垂直回動型駐輪設備において、前記垂直回動経路中の少なくとも２か所に、二輪車の入出庫向きが互いに逆向きの入出庫口Ａ，Ｂが、両入出庫口Ａ，Ｂ間の前記垂直回動経路に沿った距離が等しくなるように設けられ、全ての前記駐輪台は、連続する同一台数の駐輪台を含み且つ一方の入出庫口Ａに隣接するエリアＡと他方の入出庫口Ｂに隣接するエリアＢとに分配され、全ての駐輪台には、その入り口側端部から押し入れられた二輪車の前輪を受け止める前輪制止部材が設けられて、前記入り口側端部でのみ二輪車が出し入れ可能に構成され、一方のエリアＡ内の駐輪台は、一方の入出庫口Ａに前記入り口側端部が隣接する向きに取り付けられ、他方のエリアＢ内の駐輪台は、エリアＡ内の駐輪台とは逆向きで、他方の入出庫口Ｂに前記入り口側端部が隣接する向きに取り付けられ、一方のエリアＡ内の駐輪台は一方の入出庫口Ａにのみ隣接すると共に他方のエリアＢ内の駐輪台は他方の入出庫口Ｂにのみ隣接するように前記無端状チエンを正逆回動させるように構成された、垂直回動型駐輪設備。
【請求項２】
前記２つの入出庫口Ａ，Ｂが同一高さに設けられている、請求項１に記載の垂直回動型駐輪設備。
【発明の詳細な説明】
【技術分野】
【０００１】
本発明は、垂直回動経路に沿って回動する無端状チエンに駐輪台が適当間隔おきに吊り下げられた垂直回動型駐輪設備に関するものである。
【背景技術】
【０００２】
この種の垂直回動型駐輪設備に使用される駐輪台は、構造を簡素にすると共に安全性を高めるために、二輪車を前進向きでのみ駐輪台上に搬入出来るが、そのまま反対側へ二輪車を搬出させることは出来ない構造、即ち、二輪車の一定向きの往復移動のみで入出庫が可能な構造に構成されるものである。従って、この種の垂直回動型駐輪設備では、垂直回動経路における前後２つの垂直昇降経路の内、一方の垂直昇降経路の外側に隣接させて入出庫口が設けられ、全ての駐輪台は、前記入出庫口との間で二輪車を入出庫出来るように同一向きに構成されていた。
【先行技術文献】
【特許文献】
【０００３】
【特許文献１】特開２０１１−８９２５１号公報
【発明の概要】
【発明が解決しようとする課題】
【０００４】
上記構成の従来の垂直回動型駐輪設備では、二輪車が積載された実駐輪台が垂直回動経路全域に平均的に在席するように入庫管理を行うことにより、全ての駐輪台を前記垂直回動経路に沿って回動させるときのモーター負荷が小さくなり、無端状チエンに局部的に無理な引張力が作用することも防止出来るのであるが、このような入庫状況を維持させるためには、例えば入庫作業に際して、入出庫口に隣接する垂直昇降経路内に空駐輪台が有るにもかかわらず、反対側の垂直昇降経路にある空駐輪台を呼び出さなければならないなど、入庫作業に要する時間が長くなる場合が生じる。又、出庫対象の二輪車が積載されている実駐輪台が、入出庫口から遠い反対側の垂直昇降経路内に有る場合は、出庫に要する時間も長くなる。勿論、上記のような問題点を解消する目的で、２つの入出庫口を片側の垂直昇降経路の上下両端近傍に設けることも考えられるが、この構成は、設置位置の高さが大きく異なる上下２つの入出庫口を設けることが出来る階層を備えた建物に駐輪設備を併設する場合に限って採用可能である。
【課題を解決するための手段】
【０００５】
本発明は、上記のような従来の問題点を解消することのできる垂直回動型駐輪設備を提案するものであって、請求項１に記載の本発明に係る垂直回動型駐輪設備は、後述する実施例との関係を理解し易くするために、当該実施例の説明において使用した参照符号を括弧付きで付して示すと、垂直回動経路に沿って回動する無端状チエン(1)に駐輪台(5A,5B)が適当間隔おきに吊り下げられた垂直回動型駐輪設備において、前記垂直回動経路中の少なくとも２か所に、二輪車の入出庫向きが互いに逆向きの入出庫口(11A,11B)が、両入出庫口(11A,11B)間の前記垂直回動経路に沿った距離が等しくなるように設けられ、全ての前記駐輪台(5A,5B)は、連続する同一台数の駐輪台(5A,5B)を含み且つ一方の入出庫口(11A)に隣接するエリアＡと他方の入出庫口(11B)に隣接するエリアＢとに分配され、全ての駐輪台(5A,5B)には、その入り口側端部から押し入れられた二輪車の前輪を受け止める前輪制止部材(13a)が設けられて、前記入り口側端部でのみ二輪車が出し入れ可能に構成され、一方のエリアＡ内の駐輪台(5A)は、一方の入出庫口Ａに前記入り口側端部が隣接する向きに取り付けられ、他方のエリアＢ内の駐輪台(5B)は、エリアＡ内の駐輪台(5A)とは逆向きで、他方の入出庫口Ｂに前記入り口側端部が隣接する向きに取り付けられ、一方のエリアＡ内の駐輪台(5A)は一方の入出庫口(11A)にのみ隣接すると共に他方のエリアＢ内の駐輪台(5B)は他方の入出庫口(11B)にのみ隣接するように前記無端状チエン(1)を正逆回動させる構成になっている。
【発明の効果】
【０００６】
上記本発明の構成によれば、基本的に各エリアＡ，Ｂ内の実駐輪台の台数に大差が生じないように２つの入出庫口Ａ，Ｂに対して入庫二輪車を振り分けるだけで、二輪車が積載された実駐輪台が垂直回動経路全域に平均的に在席することになって、全ての駐輪台を前記垂直回動経路に沿って回動させるときのモーター負荷が小さくなり、無端状チエンに局部的に無理な引張力が作用することも防止出来る。しかも、入出庫作業の何れにおいても、前後２つの入出庫口Ａ，Ｂが担当する駐輪台は、各入出庫口Ａ，Ｂに隣接し且つ垂直回動経路の全長の半分のエリアＡ，Ｂ内に配置されている駐輪台のみであるから、入庫対象の空駐輪台や出庫対象の実駐輪台を入出庫口に呼び出すのに要する時間を短縮出来る。
【０００７】
上記本発明を実施する場合、この駐輪設備が併設される建物の利用出来る階層に応じて、前記２つの入出庫口Ａ，Ｂは、前記垂直回動経路の中央位置に対して点対称となるように上下方向に位置をずらして設けることも可能であるが、一般的には、高さが同一の共通床面上からの入出庫が可能なように、請求項２に記載のように、前記２つの入出庫口Ａ，Ｂは同一高さに設けるのが望ましい。
【図面の簡単な説明】
【０００８】
【図１】図１は、全体の構成を説明する概略縦断側面図である。
【図２】図２は、２つのエリアそれぞれの駐輪台を示す側面図である。
【図３】図３は、駐輪設備全体の横断平面図である。
【図４】図４Ａ，Ｂは、各エリア内の駐輪台の回動範囲を説明する解説図である。
【図５】図５Ａ，Ｂは、本発明の別の実施例における各エリア内の駐輪台の回動範囲を説明する解説図である。
【発明を実施するための形態】
【０００９】
図１において、１は無端状チエンであって、上歯輪２と下歯輪３との間に掛張され、等間隔おきに外向きに突設された吊下げ具４を介して駐輪台５Ａ，５Ｂを吊り下げている。而して、無端状チエン１が回動することによって駐輪台５Ａ，５Ｂは無端状チエン１に沿った垂直回動経路を回動することになるが、この垂直回動経路には、駐輪台５Ａ，５Ｂを正立姿勢に保持するためのガイドレール６ａ，６ｂ及び７ａ，７ｂが併設されている。８は駐輪台５Ａ，５Ｂの垂直回動経路全体を内包する建屋であって、この建屋８には、前記垂直回動経路を構成する前後両垂直昇降経路９，１０の高さの中央位置の外側に隣接するように、前後２つの入出庫口１１Ａ，１１Ｂが設けられている。従って、前後２つの同一高さの入出庫口１１Ａ，１１Ｂの外側には、建屋８が上下方向に貫通する開口を備えた共通の床版１２が配設されている。そして全ての駐輪台５Ａ，５Ｂを含む垂直縦長の無端環状エリアは、連続する同一台数の駐輪台５Ａ，５Ｂを含む２つの同一長さのエリアＡ，Ｂに分けられている。図示例では、エリアＡとエリアＢにそれぞれ１０台の駐輪台５Ａ，５Ｂが等間隔おきに配置されている。
【００１０】
図２及び図３に示すように、各駐輪台５Ａ，５Ｂは、左右水平方向に等間隔おきに複数台（図示例は４台）の二輪車支持レール１３を備えた支持台部１４と、この支持台部１４の左右両側辺から立設された左右一対の側枠部１５と、この左右一対の側枠部１５の上端どうしを連結一体化する連結部材１６から構成されている。そして、各駐輪台５Ａ，５Ｂが備える二輪車支持レール１３は、支持台部１４の前後両側辺の一方に隣接する入り口側端部から押し入れられる二輪車を前輪制止枠１３ａにより定位置に起立姿勢で受け止めることが出来るように構成されたもので、各二輪車支持レール１３の入り口側端部には、二輪車が乗り越えられる高さの後輪制止突起１３ｂが設けられている。尚、並列する複数台の二輪車支持レール１３は、隣り合う２つの二輪車支持レール１３で支持される二輪車のハンドル部が上下段違いに互いに重なり合えるように、前輪支持部の高さの低いものと高いものとが交互に配列されている。
【００１１】
上記構成の各駐輪台５Ａ，５Ｂの内、エリアＡ内の各駐輪台５Ａは、入出庫口１１Ａに隣接する位置にあるときに二輪車支持レール１３の入り口側端部（後輪制止突起１３ｂのある側）が当該入出庫口１１Ａに隣接する向きに吊り下げられ、エリアＢ内の各駐輪台５Ｂは、入出庫口１１Ｂに隣接する位置にあるときに二輪車支持レール１３の入り口側端部（後輪制止突起１３ｂのある側）が当該入出庫口１１Ｂに隣接する向きに吊り下げられている。即ち、エリアＡ内の各駐輪台５ＡとエリアＢ内の各駐輪台５Ｂは、互いに前後逆向きに吊り下げられている。
【００１２】
各駐輪台５Ａ，５Ｂを吊り下げる吊下げ具４は、無端状チエン１の長さ方向に離れた２か所に軸支された２つのリンク４ａ，４ｂから構成され、この両リンク４ａ，４ｂの遊端どうしの重なり部で左右水平向きの支軸４ｃにより駐輪台５Ａ，５Ｂを前後揺動自在に吊り下げている。この各駐輪台５Ａ，５Ｂには、支持台部１４の前後両端部と側枠部１５の前後両側辺の上端近傍位置とにおいて、それぞれガイドローラー１７ａ，１８ａ及び１７ｂ，１８ｂが軸支されている。各駐輪台５Ａ，５Ｂを正立姿勢に保持するための前記ガイドレール６ａ，６ｂ及び７ａ，７ｂの内、垂直昇降経路９に併設されているガイドレール６ａ，６ｂは、この垂直昇降経路９を昇降する駐輪台５Ａ，５Ｂの吊下げ位置（支軸４ｃ位置）より外側に位置する上下２つのガイドローラー１８ａ，１８ｂ（又は１７ａ，１７ｂ）と係合し、垂直昇降経路１０に併設されているガイドレール７ａ，７ｂは、この垂直昇降経路１０を昇降する駐輪台５Ａ，５Ｂの吊下げ位置（支軸４ｃ位置）より外側に位置する上下２つのガイドローラー１８ａ，１８ｂ（又は１７ａ，１７ｂ）と係合することにより、垂直回動経路を回動する駐輪台５Ａ，５Ｂが吊下げ具４の支軸４ｃの周りに前後揺動するのを防止して正立姿勢に保持する。
【００１３】
尚、無端状チエン１とこれを掛張する上下歯輪２，３、及び吊下げ具４は、駐輪台５Ａ，５Ｂの左右一対の側枠部１５を各別に吊り下げるように左右一対設けられ、左右一対の下歯輪３は、図３に仮想線で示すように共通の駆動軸３ａに取り付けられ、当該駆動軸３ａには、減速機付きモーター１９がチエン伝動手段２０を介して連動連結されている。又、全てのガイドローラー１７ａ〜１８ｂは、駐輪台５Ａ，５Ｂの左右両側に一対づつ設けても良いが、図示例では、支持台部１４の前後両端のガイドローラー１７ａ，１８ａのみを左右一対設け、側枠部１５の上端側のガイドローラー１７ｂ，１８ｂは、片側の側枠部１５にのみ設けている。従って、ガイドローラー１７ｂ，１８ｂに係合するガイドレール６ｂ，７ｂも、垂直回動経路の左右の片側にのみ設けている。勿論、駐輪台５Ａ，５Ｂを正立姿勢に保持するためのガイドレールとガイドローラーの構成は、この実施例で示した構成に限定されるものではない。
【００１４】
上記構成によれば、減速機付きモーター１９を稼働させて無端状チエン１を正逆回動させることにより、全ての駐輪台５Ａ，５Ｂを、無端状チエン１の回動経路に沿った垂直回動経路を、ガイドレール６ａ〜７ｂと各ガイドローラー１７ａ〜１８ｂとの係合により正立姿勢に維持させながら正逆回動させることが出来る。従って、二輪車を入出庫するときは、その入出庫対象の駐輪台５Ａ，５Ｂを入出庫口１１Ａ，１１Ｂの内側に隣接する定停止位置に呼び出し、入出庫口１１Ａ，１１Ｂに併設されている開閉扉２１Ａ，２１Ｂの入出庫対象の二輪車支持レール１３に対応する箇所のみを開いて、当該入出庫対象の二輪車支持レール１３に対する二輪車の入出庫作業を行うことが出来るのであるが、入出庫口１１Ａのある側に二輪車支持レール１３の入り口側端部（後輪制止突起１３ｂのある側）が位置する駐輪台５Ａ、即ち、エリアＡ内の駐輪台５Ａが入出庫対象であるときは、その入出庫対象の駐輪台５Ａを入出庫口１１Ａの内側に隣接する定停止位置に呼び出し、逆に、入出庫口１１Ｂのある側に二輪車支持レール１３の入り口側端部（後輪制止突起１３ｂのある側）が位置する駐輪台５Ｂ、即ち、エリアＢ内の駐輪台５Ｂが入出庫対象であるときは、その入出庫対象の駐輪台５Ｂを入出庫口１１Ｂの内側に隣接する定停止位置に呼び出さなければならない。
【００１５】
即ち、実際の運用時には、図４Ａ，Ｂに示すように、A1番〜A10番までの１０台の駐輪台５Ａを含むエリアＡは、そのA1番駐輪台５Ａが入出庫口１１Ａに隣接する定停止位置からA10番駐輪台５Ａが入出庫口１１Ａに隣接する定停止位置までの半回転の範囲内でのみ正逆回動させ、B1番〜B10番までの１０台の駐輪台５Ｂを含むエリアＢは、そのB1番駐輪台５Ｂが入出庫口１１Ｂに隣接する定停止位置からB10番駐輪台５Ｂが入出庫口１１Ｂに隣接する定停止位置までの半回転の範囲内でのみ正逆回動させることになる。従って、入庫作業に際しては、原則的に入庫二輪車を入出庫口１１Ａ，１１Ｂに交互に振分けて、エリアＡ，Ｂ内の各１０台の駐輪台５Ａ，５Ｂに、それぞれA1番／B1番（又はA10番／B10番）から昇順又は降順で交互に入庫し、エリアＡの始端側（A1番駐輪台５Ａ側)又はエリアＡの終端側（A10番駐輪台５Ａ側)とエリアＢの始端側（B1番駐輪台５Ｂ側)又はエリアＢの終端側（B10番駐輪台５Ｂ側)とに実駐輪台５Ａ，５Ｂが集中しない状態で、エリアＡ内の総入庫台数とエリアＢ内の総入庫台数の差を出来る限り少なくするように管理すれば、図４Ａの状態から図４Ｂの状態までの如何なる状況にあっても、駐輪台の垂直回動経路における前後両垂直昇降経路９，１０の何れか一方に入庫済みの実駐輪台５Ａ，５Ｂが集中するのを避けることが出来る。換言すれば、無端状チエン１を正逆何れの方向に回動させるときも、減速機付きモーター１９に掛かる負荷を小さくすることが出来る。勿論、入出庫作業に際して、入出庫対象の駐輪台５Ａ，５Ｂは、駐輪台の垂直回動経路全長の最大半分の長さの範囲を回動させるだけであるから、待ち時間も半減することになる。
【００１６】
尚、入出庫口１１Ａ，１１Ｂは、その間の駐輪台の垂直回動経路長さ（駐輪台の台数）が等しくなるように設ければ良いので、この条件さえ満足させることが出来るならば、この垂直回動型の駐輪設備に隣接する建物に二輪車の入出庫通路として利用出来る上下複数階層がある場合、図５に示すように、その内の上下異なる階層に入出庫口１１Ａ，１１Ｂを分けて設けることも出来る。この場合、前記２つの入出庫口１１Ａ，１１Ｂは、前記垂直回動経路の中央位置に対して点対称となるように上下方向に位置をずらして設けることになる。又、駐輪台の垂直回動経路の高さを高くし得る場合、上記の条件を満足する関係の２つの入出庫口１１Ａ，１１Ｂを複数組設けることも可能である。
【産業上の利用可能性】
【００１７】
本発明の垂直回動型駐輪設備は、同一高さ又は上下異なる高さに少なくとも２つの、互いに逆向きに二輪車を入出庫し得る入出庫口を備えた駐輪設備として活用出来る。
【符号の説明】
【００１８】
１    無端状チエン
２    上歯輪
３    下歯輪
４    吊下げ具
５Ａ，５Ｂ    駐輪台
６ａ〜７ｂ    ガイドレール
８    建屋
９，１０    垂直昇降経路
１１Ａ，１１Ｂ    入出庫口
１２    床版
１３    二輪車支持レール
１３ａ    前輪制止枠
１３ｂ    後輪制止突起
１４    支持台部
１５    側枠部
１６    連結部材
１７ａ〜１８ｂ    ガイドローラー
１９    減速機付きモーター
２０    チエン伝動手段
Ａ    駐輪台５Ａのエリア
Ｂ    駐輪台５Ｂのエリア
【図１】
0005773165.tif 000002
【図２】
0005773165.tif 000003
【図３】
0005773165.tif 000004
【図４】
0005773165.tif 000005
【図５】
0005773165.tif 000006